(57)【要約】【課題】桃、マンゴー等のように表面に圧力が加わると傷みやすい青果を収納するのに適した青果用包装容器を提供する。【解決手段】青果用包装容器５は、片面にシート状の不織布を略波形形状に形成した中芯が露出して形成された１枚のシート状のブランクにより形成され、本体部１０と、仕切り部３０とを有し、仕切り部３０は、側面部１４の上端の一部から連設された仕切り構成部３２と、側面部２０の上端の一部から連設された仕切り構成部６０とから構成され、仕切り構成部３２は、上面部３４と、先端部３６と、上面部３４の両側から下方に傾斜して形成された傾斜面部４０、５０と有し、仕切り構成部６０は、上面部６２と、上面部６２の両側から下方に傾斜して形成された傾斜面部６４、７０と有している。仕切り部３０においては、傾斜面部４０、５０、６４、７０の上面側に中芯が露出するように形成されている。【選択図】図１
0003144989.tif 000002
【実用新案登録請求の範囲】
【請求項１】
青果を収納するための青果用包装容器であって、
青果用包装容器が、少なくとも片面にシート状の不織布を略波形形状に形成してなる中芯が露出して形成された１枚のシート状のブランクにより形成されていて、
本体部と、仕切り部とを有し、
本体部が、
長方形状の底部と、
底部の各辺から折れ線を介して立設した側壁部で、底部の長辺の一方から連設した第１側壁部と、底部の長辺の他方から連設した第２側壁部と、底部の短辺の一方から連設した第３側壁部と、底部の短辺の他方から連設した第４側壁部とを有し、上方が開口した容器状を呈し、
仕切り部が、
第１側壁部の上端の一部から連設された第１仕切り構成部と、第２側壁部の上端の一部から連設された第２仕切り構成部とを有し、
第１仕切り構成部が、
第１側壁部の上端から折れ線を介して連設され、第２側壁部側にいくほど幅狭となるテーパ状を呈する第１上面部と、
第１上面部の一対の側辺のうちの第３側壁部側の側辺から折れ線を介して連設され、第３側壁部に向けて下方に傾斜して設けられた第１傾斜面部で、第１上面部の側辺から連設され下方に傾斜した第１傾斜面部本体と、第１傾斜面部本体の第２側壁部側に突出した突出部を有する第１傾斜面部と、
第１上面部の一対の側辺のうちの第４側壁部側の側辺から折れ線を介して連設され、第４側壁部に向けて下方に傾斜して設けられた第２傾斜面部で、第１上面部の側辺から連設され下方に傾斜した第２傾斜面部本体と、第２傾斜面部本体の第２側壁部側に突出した突出部を有する第２傾斜面部と、を有し、
第２仕切り構成部が、
第２側壁部の上端から折れ線を介して連設され、第１側壁部側にいくほど幅狭となるテーパ状を呈する第２上面部と、
第２上面部の一対の側辺のうちの第３側壁部側の側辺から折れ線を介して連設され、第３側壁部に向けて下方に傾斜して設けられた第３傾斜面部で、第２上面部の側辺から連設され下方に傾斜した第３傾斜面部本体と、第３傾斜面部本体の第１側壁部側に突出した突出部を有する第３傾斜面部と、
第２上面部の一対の側辺のうちの第４側壁部側の側辺から折れ線を介して連設され、第４側壁部に向けて下方に傾斜して設けられた第４傾斜面部で、第２上面部の側辺から連設され下方に傾斜した第４傾斜面部本体と、第３傾斜面部本体の第１側壁部側に突出した突出部を有する第４傾斜面部と、を有し、
第１傾斜面部と第２傾斜面部と第３傾斜面部と第４傾斜面部の上面側に上記不織布製の中芯が露出するように形成され、第１傾斜面部の突出部と第３傾斜面部の突出部とが底部の長辺方向に異なる位置に設けられ、第１傾斜面部の突出部が第３傾斜面部本体の下面に当接し、第３傾斜面部の突出部が第１傾斜面部本体の下面に当接することにより、第１傾斜面部と第３傾斜面部とが互いに係止し、第２傾斜面部の突出部と第４傾斜面部の突出部とが底部の長辺方向に異なる位置に設けられ、第２傾斜面部の突出部が第４傾斜面部本体の下面に当接し、第４傾斜面部の突出部が第２傾斜面部本体の下面に当接することにより、第２傾斜面部と第４傾斜面部とが互いに係止することにより仕切り部が組み立てられることを特徴とする青果用包装容器。
【請求項２】
青果用包装容器を構成するブランクにおいては、その両側の面に不織布を略波形形状に形成してなる中芯が露出して形成されていることを特徴とする請求項１に記載の青果用包装容器。
【請求項３】
第１上面部の先端に略方形状の先端部が連設され、第１傾斜面部における突出部の少なくとも一部と第２傾斜面部における突出部の少なくとも一部とが、該先端部と直線状の切込みを介して隣接しており、仕切り部の組立て状態において、第２上面部の先端部分が先端部の下面に接するとともに、該先端部が第２上面部の上面に接することを特徴とする請求項１又は２に記載の青果用包装容器。
【請求項４】
第１傾斜面部と第２傾斜面部は２つの突出部を有するとともに、第３傾斜面部と第４傾斜面部は１つの突出部を有し、仕切り部の組立て状態では、第３傾斜面部の突出部が第１傾斜面部の２つの突出部間の位置にあり、第４傾斜面部の突出部が第２傾斜面部の２つの突出部間の位置にあることを特徴とする請求項１又は２又は３に記載の青果用包装容器。
【請求項５】
青果を収納するための青果用包装容器であって、
本体部と、本体部内に配置される青果配置部とを有し、
本体部が、
長方形状の底部と、
底部の各辺から折れ線を介して立設した側壁部とを有し、上方が開口した容器状を呈し、
青果配置部が、少なくとも片面にシート状の不織布を略波形形状に形成してなる中芯が露出して形成された１枚のシート状のブランクにより形成されていて、
略方形状の外形を呈し、放射状に切込みを設けることにより隣接する切込みと該切込みの端部同士を結ぶ折れ線により囲まれた片部が折れ線を介して下方に折曲げ可能に形成された収納領域が１又は複数設けられた上面部と、上面部の各辺から折れ線を介して下方に向けて連設された側壁部と、を有し、上面部の上面側に不織布製の中芯が露出して形成されていることを特徴とする青果用包装容器。
【請求項６】
本体部が、少なくとも片面にシート状の不織布を略波形形状に形成してなる中芯が露出して形成された１枚のシート状のブランクにより形成されていて、側壁部の内側の面に中芯が設けられていることを特徴とする請求項５に記載の青果用包装容器。
【考案の詳細な説明】
【技術分野】
【０００１】
本考案は、青果用包装容器に関するものであり、特に、桃、マンゴー等のように表面に圧力が加わると傷みやすい青果（「青果物」としてもよい。以下においても同じ）を包装する包装容器に関するものである。
【背景技術】
【０００２】
従来より青果用包装容器としては、特許文献１に示すように、段ボール製の仕切り材にメロン保持位置を定める保持凹部が形成されたものが存在する。この保持凹部は、１２角形の輪郭に沿った折り目と、折り目の各角部から内側に伸びる切り込みにより形成されたものである。
【０００３】
また、特許文献２に示す青果物緩衝用紙製トレイのように、青果を受ける受け凹部が、放射状に形成された複数のスリットにより分割された複数の舌片を配置した凹部形成領域に紙製の受け底板が重ね合わされて形成されたものが存在する。
【特許文献１】特開平９−１２０７２号公報
【特許文献２】特開２００３−２６１１８１号公報
【考案の開示】
【考案が解決しようとする課題】
【０００４】
しかし、上記特許文献１、特許文献２においても、収納される青果に対する緩衝性が十分とはいえず、特に、桃、マンゴー等のように表面に圧力が加わると傷みやすい青果を収納するには十分ではなかった。すなわち、特許文献１の果物包装用箱における仕切り材は三層構造の段ボールにより形成されているので、仕切り材の表面は平面状に形成されていることから、青果を保持凹部の位置に落下させる等衝撃が加えられると青果の表面が傷むおそれがある。また、１２角形の輪郭に沿った折り目と、折り目の各角部から内側に伸びる切り込みにより形成された切り込み片が受け面に対して折曲した形状となっているので、切り込み片と受け面とで角部が形成されてしまい、この角部により青果の表面を傷つけるおそれがある。
【０００５】
同様に、特許文献２に記載の青果物緩衝用紙製トレイにおいても、トレイの材質として板紙や段ボールが採用できるとあるので、トレイの上面は平面状に形成されていることから、青果を受け凹部の位置に落下させる等衝撃が加えられると青果の表面が傷むおそれがある。また、舌片は配置板本体の上面に対して折曲した形状となっているので、舌片と配置板本体の上面とで角部が形成されてしまい、この角部により青果の表面を傷つけるおそれがある。
【０００６】
そこで、本考案は、桃、マンゴー等のように表面に圧力が加わると傷みやすい青果を収納するのに適した青果用包装容器を提供することを目的とするものである。
【課題を解決するための手段】
【０００７】
本考案は上記問題点を解決するために創作されたものであって、第１には、青果を収納するための青果用包装容器であって、青果用包装容器が、少なくとも片面にシート状の不織布を略波形形状に形成してなる中芯が露出して形成された１枚のシート状のブランクにより形成されていて、本体部と、仕切り部とを有し、本体部が、長方形状の底部と、底部の各辺から折れ線を介して立設した側壁部で、底部の長辺の一方から連設した第１側壁部と、底部の長辺の他方から連設した第２側壁部と、底部の短辺の一方から連設した第３側壁部と、底部の短辺の他方から連設した第４側壁部とを有し、上方が開口した容器状を呈し、仕切り部が、第１側壁部の上端の一部から連設された第１仕切り構成部と、第２側壁部の上端の一部から連設された第２仕切り構成部とを有し、第１仕切り構成部が、第１側壁部の上端から折れ線を介して連設され、第２側壁部側にいくほど幅狭となるテーパ状を呈する第１上面部と、第１上面部の一対の側辺のうちの第３側壁部側の側辺から折れ線を介して連設され、第３側壁部に向けて下方に傾斜して設けられた第１傾斜面部で、第１上面部の側辺から連設され下方に傾斜した第１傾斜面部本体と、第１傾斜面部本体の第２側壁部側に突出した突出部を有する第１傾斜面部と、第１上面部の一対の側辺のうちの第４側壁部側の側辺から折れ線を介して連設され、第４側壁部に向けて下方に傾斜して設けられた第２傾斜面部で、第１上面部の側辺から連設され下方に傾斜した第２傾斜面部本体と、第２傾斜面部本体の第２側壁部側に突出した突出部を有する第２傾斜面部と、を有し、第２仕切り構成部が、第２側壁部の上端から折れ線を介して連設され、第１側壁部側にいくほど幅狭となるテーパ状を呈する第２上面部と、第２上面部の一対の側辺のうちの第３側壁部側の側辺から折れ線を介して連設され、第３側壁部に向けて下方に傾斜して設けられた第３傾斜面部で、第２上面部の側辺から連設され下方に傾斜した第３傾斜面部本体と、第３傾斜面部本体の第１側壁部側に突出した突出部を有する第３傾斜面部と、第２上面部の一対の側辺のうちの第４側壁部側の側辺から折れ線を介して連設され、第４側壁部に向けて下方に傾斜して設けられた第４傾斜面部で、第２上面部の側辺から連設され下方に傾斜した第４傾斜面部本体と、第３傾斜面部本体の第１側壁部側に突出した突出部を有する第４傾斜面部と、を有し、第１傾斜面部と第２傾斜面部と第３傾斜面部と第４傾斜面部の上面側に上記不織布製の中芯が露出するように形成され、第１傾斜面部の突出部と第３傾斜面部の突出部とが底部の長辺方向に異なる位置に設けられ、第１傾斜面部の突出部が第３傾斜面部本体の下面に当接し、第３傾斜面部の突出部が第１傾斜面部本体の下面に当接することにより、第１傾斜面部と第３傾斜面部とが互いに係止し、第２傾斜面部の突出部と第４傾斜面部の突出部とが底部の長辺方向に異なる位置に設けられ、第２傾斜面部の突出部が第４傾斜面部本体の下面に当接し、第４傾斜面部の突出部が第２傾斜面部本体の下面に当接することにより、第２傾斜面部と第４傾斜面部とが互いに係止することにより仕切り部が組み立てられることを特徴とする。
【０００８】
この第１の構成の青果用包装容器においては、仕切り部により本体部内の両側に青果の収納空間が形成されるので、各収納空間に青果を収納する。本考案においては、本体部内に仕切り部が設けられているので、各収納空間に青果を収納した場合に、一方の収納空間に収納した青果と他方の収納空間に収納した青果とが接触することがなく、青果が傷むことがない。また、仕切り部における第１傾斜面部〜第４傾斜面部の上面には不織布製の中芯が設けられるので、緩衝効果が大きく、青果を各収納空間における傾斜面部の上面に落下させても、不織布による弾性により青果が傷むことがない。また、第１傾斜面部〜第４傾斜面部は斜めに傾斜した状態で設けられているので、青果を傾斜面部の上面に落下させても傾斜面部自身が撓むことによりクッションとなり、青果が傷むことがない。よって、桃、マンゴー等のように表面に圧力が加わると傷みやすい青果を収納するのに適したものといえる。また、第１上面部と第２上面部とがテーパ状を呈しているので、第１傾斜面部と第３傾斜面部とは互いに内側を向いた状態となり、第２傾斜面部と第４傾斜面部とは互いに内側を向いた状態となるため、青果を確実に保持することができる。
【０００９】
また、第２には、上記第１の構成において、青果用包装容器を構成するブランクにおいては、その両側の面に不織布を略波形形状に形成してなる中芯が露出して形成されていることを特徴とする。この第２の構成においては、ブランクの両面に不織布製の中芯が設けられているので、本体部の内側の面にも中芯が設けられることになり、収納空間を形成するすべての面に中芯が形成されるので、より緩衝効果が大きく、より傷みやすい青果を収納するのに適したものとなる。
【００１０】
また、第３には、上記第１又は第２の構成において、第１上面部の先端に略方形状の先端部が連設され、第１傾斜面部における突出部の少なくとも一部と第２傾斜面部における突出部の少なくとも一部とが、該先端部と直線状の切込みを介して隣接しており、仕切り部の組立て状態において、第２上面部の先端部分が先端部の下面に接するとともに、該先端部が第２上面部の上面に接することを特徴とする。
【００１１】
また、第４には、上記第１から第３までのいずれかの構成において、第１傾斜面部と第２傾斜面部は２つの突出部を有するとともに、第３傾斜面部と第４傾斜面部は１つの突出部を有し、仕切り部の組立て状態では、第３傾斜面部の突出部が第１傾斜面部の２つの突出部間の位置にあり、第４傾斜面部の突出部が第２傾斜面部の２つの突出部間の位置にあることを特徴とする。これにより、第１仕切り構成部と第２仕切り構成部とをより強固に係止させることができる。
【００１２】
また、第５には、青果を収納するための青果用包装容器であって、本体部と、本体部内に配置される青果配置部とを有し、本体部が、長方形状の底部と、底部の各辺から折れ線を介して立設した側壁部とを有し、上方が開口した容器状を呈し、青果配置部が、少なくとも片面にシート状の不織布を略波形形状に形成してなる中芯が露出して形成された１枚のシート状のブランクにより形成されていて、略方形状の外形を呈し、放射状に切込みを設けることにより隣接する切込みと該切込みの端部同士を結ぶ折れ線により囲まれた片部が折れ線を介して下方に折曲げ可能に形成された収納領域が１又は複数設けられた上面部と、上面部の各辺から折れ線を介して下方に向けて連設された側壁部と、を有し、上面部の上面側に不織布製の中芯が露出して形成されていることを特徴とする。
【００１３】
この第５の構成の青果用包装容器においては、被収納物としての青果を青果配置部の収納領域に配置する。収納領域は、片部が下方に折曲することにより窪んだ状態となっているので、収納された青果を位置決めすることができ、収納領域に収納した場合に青果同士が互いに接しない大きさとすることにより、青果同士が接触することがなく、青果が傷むことがない。また、青果配置部の上面部の上面側には不織布製の中芯が設けられるので、緩衝効果が大きく、青果を青果配置部の上面に落下させても、不織布による弾性により青果が傷むことがない。よって、本考案の青果用包装容器は、桃、マンゴー等のように表面に圧力が加わると傷みやすい青果を収納するのに適したものといえる。
【００１４】
また、第６には、上記第５の構成において、本体部が、少なくとも片面にシート状の不織布を略波形形状に形成してなる中芯が露出して形成された１枚のシート状のブランクにより形成されていて、側壁部の内側の面に中芯が設けられていることを特徴とする。これにより、収納領域に載置される青果の大きさや形状によっては、青果が本体部の側壁部の内側の面に接する可能性があるが、本体部の内側の面に不織布による中芯を設けることにより、緩衝効果をより大きくして、傷みやすい青果を収納するのにより適したものとすることができる。
【考案の効果】
【００１５】
本考案に基づく青果用包装容器によれば、桃、マンゴー等のように表面に圧力が加わると傷みやすい青果（特に、果物）を収納するのに適した青果用包装容器を提供することができる。つまり、請求項１の青果用包装容器によれば、仕切り部が設けられているので、一方の収納空間に収納した青果と他方の収納空間に収納した青果とが接触することがなく、仕切り部における第１傾斜面部〜第４傾斜面部の上面には不織布製の中芯が設けられるので、緩衝効果が大きく、青果を各収納空間における傾斜面部の上面に落下させても、不織布による弾性により青果が傷むことがなく、第１傾斜面部〜第４傾斜面部は斜めに傾斜した状態で設けられているので、青果を傾斜面部の上面に落下させても傾斜面部自身が撓むことによりクッションとなり、青果が傷むことがない。また、請求項４の青果用包装容器によれば、収納領域は、片部が下方に折曲することにより窪んだ状態となっているので、収納された青果を位置決めすることができ、収納領域に収納した場合に青果同士が互いに接しない大きさとすることにより、青果同士が接触することがなく、青果が傷むことがない。また、青果配置部の上面部の上面側には不織布製の中芯が設けられるので、緩衝効果が大きく、青果を青果配置部の上面に落下させても、不織布による弾性により青果が傷むことがない。
【考案を実施するための最良の形態】
【００１６】
本考案においては、桃、マンゴー等のように表面に圧力が加わると傷みやすい青果を収納するのに適した青果用包装容器を提供するという目的を以下のようにして実現した。
【実施例１】
【００１７】
本考案に基づく青果用包装容器５は、図１〜図６に示されるように構成され、本体部１０と、仕切り部３０とを有している。この青果用包装容器５は、１枚のシート状のブランクにより形成されている。この青果用包装容器５を構成するブランクは、図５に示すように、平板板状の板紙からなるライナーＡと、ライナーＡの一方の面に接着され、略波形形状の中芯Ｂとを有するいわば片面段ボールであり、中芯Ｂは不織布製であり、シート状（平板状としてもよい）の不織布を波形形状に形成したものである。つまり、青果用包装容器５は、片面にシート状の不織布を略波形形状に形成してなる中芯が露出して形成されたシート状のブランクにより形成されている。なお、図４に示す展開図においては、ライナーＡ側が表れているものとして記載されている。
【００１８】
なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【００１９】
ここで、本体部１０は、上部が開口した容器状を呈し、方形状の底部１２と、底部１２の正面側（Ｙ１側）の辺部（図４では下側の辺部）から折れ線を介して連設された側面部（第１側壁部）１４と、側面部１４の両側から折れ線を介して突出したフラップ部１６、１８と、底部１２の背面側（Ｙ２側）の辺部（図４では上側の辺部）から折れ線を介して連設された側面部（第２側壁部）２０と、側面部２０の両側から折れ線を介して突出したフラップ部２２、２４と、底部１２の右側面側（Ｘ１側）の辺部から折れ線を介して連設された側面部（第３側壁部）２６と、底部１２の左側面側（Ｘ２側）の辺部から折れ線を介して連設された側面部（第４側壁部）２８とを有している。
【００２０】
側面部１４、２０、２６、２８は、上側にいくほど幅広となる台形形状をなし、側面部１４と側面部２０とは同大同形状に形成され、側面部２６と側面部２８とは同大同形状に形成されている。
【００２１】
フラップ部１６、１８、２２、２４は、上側の角部にアールが形成された略台形形状を呈し、フラップ部１６、２２と側面部２６の境界は切込み線により形成され、フラップ部１８、２４と側面部２８の境界は切込み線により形成されている。フラップ部１６とフラップ部１８とは互いに線対象に形成され、フラップ部２２とフラップ部２４とは互いに線対象に形成され、また、フラップ部１６とフラップ部２２とは互いに線対象に形成され、フラップ部１８とフラップ部２４とは互いに線対象に形成されている。フラップ部１６、２２は側面部２６の外側の面に接着され、フラップ部１８、２４は側面部２８の外側の面に接着されている。
【００２２】
なお、本体部１０において、底部１２と側面部１４、２０、２６、２８との境界位置の折れ線上にはミシン目が形成され、また、側面部１４とフラップ部１６、１８との境界位置の折れ線上と、側面部２０とフラップ部２２、２４との境界位置の折れ線上にはミシン目が形成されている。
【００２３】
また、仕切り部３０は、本体部１０内に空間を両側に仕切るものであり、仕切り構成部３２と、仕切り構成部６０とを一体に噛み合わせることにより形成されている。
【００２４】
ここで、仕切り構成部（第１仕切り構成部）３２は、側面部１４の上端から折れ線を介して連設されていて、上面部（第１上面部）３４と、先端部３６と、上面部３４の両側から下方に傾斜して形成された傾斜面部４０、５０と有している。
【００２５】
上面部３４は、側面部１４の上端の略中央領域から折れ線を介して連設され、テーパ形状を呈し、側面部１４から反対側の側面部２０側にいくに従い幅狭となる台形形状をなしている。また、上面部３４の先端には、略方形状の先端部３６が連設されている。
【００２６】
また、傾斜面部（第１傾斜面部）４０は、上面部３４における一対の側辺（つまり、テーパ状をなす一対の側辺）における一方の側辺３４ａから折れ線を介して連設されるもので、略台形形状の傾斜面部本体（第１傾斜面部本体）４２と、傾斜面部本体４２における側面部２０側の辺部から突出して連設された突出部４４、４６とを有している。
【００２７】
この傾斜面部本体４２は、上面部３４の側辺３４ａから折れ線を介して連設され、先端にいくほど幅狭となる形状を呈し、その側面部１４側の辺部４２ａは、組立て状態の青果用包装容器５の平面視において側面部１４の上辺に対して傾斜しており、側面部２０側の辺部４２ｂは、組立て状態の青果用包装容器５の平面視において側面部１４の上辺に対して平行となっている。また、突出部４４と突出部４６とは、先端にアールが形成された方形状を呈し、互いに間隔を介して設けられていて、突出部４４と突出部４６間には切欠きが形成されている。突出部４４の側面部２６側の辺部は、傾斜面部本体４２の側面部２６側の辺部に対して延長線状に形成され、突出部４６と先端部３６との境界は切込みが形成されている。
【００２８】
また、傾斜面部（第２傾斜面部）５０は、上面部３４における一対の側辺（つまり、テーパ状をなす一対の側辺）における他方の側辺３４ｂから折れ線を介して連設され、略台形形状の傾斜面部本体（第２傾斜面部本体）５２と、傾斜面部本体５２における側面部２０側の辺部から突出して連設された突出部５４、５６とを有している。この傾斜面部５０は傾斜面部４０と線対称に形成されていて、傾斜面部本体５２は傾斜面部本体４２と線対称に形成され、突出部５４は突出部４４と線対称に形成され、突出部５６は突出部４６と線対称に形成されているので、詳しい説明を省略する。
【００２９】
また、仕切り構成部（第２仕切り構成部）６０は、側面部２０の上端から折れ線を介して連設されていて、上面部（第２上面部）６２と、上面部６２の両側から下方に傾斜して形成された傾斜面部６４、７０と有している。
【００３０】
上面部６２は、側面部２０の上端の略中央領域から折れ線を介して連設され、略テーパ形状を呈し、側面部１４から反対側の側面部１４側にいくに従い幅狭となる台形形状をなしている。
【００３１】
また、傾斜面部（第３傾斜面部）６４は、上面部６２における一対の側辺（つまり、テーパ状をなす一対の側辺）における一方の側辺６２ａから折れ線を介して連設されるもので、略台形形状の傾斜面部本体（第３傾斜面部本体）６６と、傾斜面部本体６６における側面部１４側の辺部から突出して連設された突出部６８とを有している。
【００３２】
この傾斜面部本体６６は、上面部６２の側辺６２ａから折れ線を介して連設され、先端にいくほど幅狭となる形状を呈し、その側面部２０側の辺部６６ａは、組立て状態の青果用包装容器５の平面視において側面部２０の上辺に対して傾斜しており、側面部１４側の辺部６６ｂ、６６ｃは、組立て状態の青果用包装容器５の平面視において側面部２０の上辺に対して平行となっている。この傾斜面部本体６６は、図４に示す展開状態においては、傾斜面部本体４２と線対称に形成されている。また、突出部６８は、先端にアールが形成された方形状を呈し、仕切り構成部３２と仕切り構成部６０とを組み合わせた場合に、突出部６８が突出部４４と突出部４６の間の位置に係合するように形成されていて、その横幅αは、突出部４４と突出部４６間の距離βと略同一又は若干小さく形成されている。
【００３３】
また、傾斜面部（第４傾斜面部）７０は、上面部６２における一対の側辺（つまり、テーパ状をなす一対の側辺）における他方の側辺６２ｂから折れ線を介して連設され、略台形形状の傾斜面部本体（第４傾斜面部本体）７２と、傾斜面部本体７２における側面部１４側の辺部から突出して連設された突出部７４とを有している。この傾斜面部７０は傾斜面部６４と線対称に形成されていて、傾斜面部本体７２は傾斜面部本体６６と線対称に形成され、突出部７４は突出部６８と線対称に形成されているので、詳しい説明を省略する。
【００３４】
なお、仕切り部３０を組み立てた状態では、図１、図２、図６に示すように、傾斜面部６４における突出部６８が、傾斜面部４０に対して突出部４４と突出部４６間の位置で係合して傾斜面部本体４２の下面に接し、傾斜面部４０における突出部４４、４６が突出部６８の両側に係止して傾斜面部本体６６の下面に接した状態となっている。また、同様に、傾斜面部７０における突出部７４が、傾斜面部５０に対して突出部５４と突出部５６間の位置で係合して傾斜面部本体５２の下面に接し、傾斜面部５０における突出部５４、５６が突出部７４の両側に係止して傾斜面部本体７２の下面に接した状態となっている。このように傾斜面部４０の突出部４４、４６と傾斜面部６４の突出部６８とが底部１２の長辺方向に異なる位置に設けられ、傾斜面部４０の突出部４４、４６が傾斜面部本体６６の下面に当接し、傾斜面部６４の突出部６８が傾斜面部本体４２の下面に当接することにより、傾斜面部４０と傾斜面部６４とが互いに係止し、また、傾斜面部５０の突出部５４、５６と傾斜面部７０の突出部７４とが底部１２の長辺方向に異なる位置に設けられ、傾斜面部５０の突出部５４、５６が傾斜面部本体７２の下面に当接し、傾斜面部７０の突出部７４が傾斜面部本体５２の下面に当接することにより、傾斜面部５０と傾斜面部７０とが互いに係止するようになっている。
【００３５】
また、上面部６２の先端部分は、先端部３６の両側の切込みに係合し、上面部６２の先端部分が先端部３６の下面に接するとともに、先端部３６が上面部６２の上面に接する状態となる。これにより、仕切り構成部３２と仕切り構成部６０とをより強固に係止させることができる。
【００３６】
また、青果用包装容器５においては、仕切り部３０の上面側に不織布製の中芯Ｂが設けられた状態となっている。また、本体部１０においては、外側の面（すなわち、底部１２の下面と側面部１４、２０、２６、２８の外側の面）に中芯Ｂが設けられた状態となっている。
【００３７】
上記構成の青果用包装容器５の使用状態について説明する。青果用包装容器５においては、仕切り部３０により本体部１０内の両側に青果の収納空間が形成されている。つまり、傾斜面部４０、６４と本体部１０の側面部１４、２０、２６の内側の面により囲まれた収納空間Ｋ１と、傾斜面部５０、７０と本体部１０の側面部１４、２０、２８の内側の面により囲まれた収納空間Ｋ２の２つの収納空間が形成されているので、各収納空間に青果（果物や野菜類）を収納する（図７参照）。
【００３８】
なお、仕切り部３０において、上面部３４、６２がテーパ状を呈しているので、上面部３４から連設された傾斜面部４０、５０が若干内側を向くとともに、上面部６２から連設された傾斜面部７０、６４が若干内側を向くため、収納空間Ｋ１における傾斜面部４０と傾斜面部６４とは互いに内側に向いた状態となるため、被収納物としての青果を傾斜面部４０と傾斜面部６４の上面に確実に保持することができ、また、収納空間Ｋ２における傾斜面部５０と傾斜面部７０とは互いに内側に向いた状態となるため、被収納物としての青果を傾斜面部５０と傾斜面部７０の上面に確実に保持することができる。
【００３９】
青果用包装容器５においては、本体部１０内に仕切り部３０が設けられているので、各収納空間に青果を収納した場合に、一方の収納空間に収納した青果と他方の収納空間に収納した青果とが接触することがなく、青果が傷むことがない。
【００４０】
また、仕切り部３０における傾斜面部４０、５０、６４、７０の上面には不織布製の中芯Ｂが設けられるので、緩衝効果が大きく、青果を傾斜面部４０、５０、６４、７０の上面に落下させても、不織布による弾性により青果が傷むことがない。また、傾斜面部４０、５０、６４、７０は斜めに傾斜した状態で設けられているので、青果を傾斜面部４０、５０、６４、７０の上面に落下させても傾斜面部４０、５０、６４、７０自身が撓むことによりクッションとなり、青果が傷むことがない。
【００４１】
以上のように、本実施例の青果用包装容器５は、桃、マンゴー等のように表面に圧力が加わると傷みやすい青果を収納するのに適したものといえる。
【００４２】
なお、上記の説明においては、青果用包装容器５は、ライナーＡと中芯Ｂとからなる片面段ボールにより形成されているものとして説明したが、ライナーＡの中芯Ｂが形成されていない側の面にも中芯Ｂ（つまり、不織布製の中芯）を設けた両面段ボールとして構成してもよい。このように構成することにより、本体部１０の内側の面にも中芯Ｂが設けられることになり、収納空間Ｋ１、Ｋ２を形成するすべての面に中芯が形成されるので、より緩衝効果が大きく、より傷みやすい青果を収納するのに適したものとなる。
【実施例２】
【００４３】
次に、実施例２の青果用包装容器について説明する。実施例２の青果用包装容器１０５は、図８〜図１２に示されるように構成され、本体部１１０と、青果配置部１３０とを有している。本体部１１０は、１枚のシート状のブランクにより形成され、また、青果配置部１３０は、１枚のシート状のブランクにより形成されている。
【００４４】
本体部１１０を構成するブランクは、板紙により形成されているが、青果配置部１３０を構成するブランクは、図１２に示すように、通常の両面段ボールＣの片側の面に不織布製の中芯Ｇを設けた構成のシート状のブランクであり、両面段ボールＣは、中芯Ｅの一方の面にライナーＤを接着し、他方の面にライナーＦを接着した構成となっていて、中芯Ｇは、ライナーＦの外側の面に接着されている。この中芯Ｇは、実施例１の中芯Ｂと同様に、平板状の不織布を波形形状に形成したものである。つまり、青果配置部１３０は、片面にシート状の不織布を略波形形状に形成してなる中芯が露出して形成された１枚のシート状のブランクにより形成されている。なお、図１１に示す展開図においては、ライナーＤ側が表れているものとして記載されている。
【００４５】
ここで、本体部１１０は、上部が開口した容器状を呈し、方形状の底部１１２と、底部１１２の正面側（Ｙ１側）の辺部（図１０では上側の辺部）から折れ線を介して連設された側面部１１４と、側面部１１４の両側から折れ線を介して突出したフラップ部１１６、１１８と、底部１１２の背面側（Ｙ２側）の辺部（図１０では下側の辺部）から折れ線を介して連設された側面部１２０と、側面部１２０の両側から折れ線を介して突出したフラップ部１２２、１２４と、底部１１２の右側面側（Ｘ１側）の辺部から折れ線を介して連設された側面部１２６と、底部１１２の左側面側（Ｘ２側）の辺部から折れ線を介して連設された側面部１２８とを有している。
【００４６】
側面部１１４、１２０、１２６、１２８は、上側にいくほど幅広となる台形形状をなし、側面部１１４と側面部１２０とは同大同形状に形成され、側面部１２６と側面部１２８とは同大同形状に形成されている。
【００４７】
フラップ部１１６、１１８、１２２、１２４は、上側の角部にアールが形成された略台形形状を呈し、フラップ部１１６、１２２と側面部１２６の境界は切込み線により形成され、フラップ部１１８、１２４と側面部１２８の境界は切込み線により形成されている。フラップ部１１６とフラップ部１１８とは互いに線対象に形成され、フラップ部１２２とフラップ部１２４とは互いに線対象に形成され、また、フラップ部１１６とフラップ部１２２とは互いに線対象に形成され、フラップ部１１８とフラップ部１２４とは互いに線対象に形成されている。フラップ部１１６、１２２は側面部１２６の外側の面に接着され、フラップ部１１８、１２４は側面部１２８の外側の面に接着されている。
【００４８】
以上のように、本体部１１０は、上記本体部１０と略同様の構成となっている。
【００４９】
また、青果配置部１３０は、略方形状の上面部１３２と、上面部１３２の各辺から折れ線を介して連設された側壁部１５０、１５２、１５４、１５６とを有している。
【００５０】
この上面部１３２においては、図１１に示すように、片部１３６により形成される収納領域Ｒ１と、片部１３６により形成される収納領域Ｒ２を除く本体部１３３が水平方向に形成されている。
【００５１】
また、上面部１３２には、５本の直線状の切込み１３４が互いに交差して形成されていて、これにより、切込み１３４における端部で隣接する端部同士をつないだ直線が正十角形をなすようになっている。そして、切込み１３４における隣接する切込み１３４と切込み１３４の端部同士を結ぶ折れ線１３８に囲まれた三角形状（二等辺三角形状）の片部１３６が折れ線１３８を介して上面部１３２の本体部１３３に対して下方に折曲げ可能に形成されている。５本の切込み１３４は、上面部１３２に計２つ設けられている。このように５本の切込み１３４により形成された１０個の片部１３６により収納領域Ｒ１、Ｒ２が形成される。なお、１つの収納領域Ｒ１、Ｒ２において、相対する一対の折れ線１３８の一方は、上面部１３２と側壁部１５０間の折れ線上にあり、他方は、上面部１３２と側壁部１５０間の折れ線上にある。
【００５２】
同様に、上面部１３２には、５本の直線状の切込み１４０が互いに交差して形成されていて、これにより、切込み１４０における端部で隣接する端部同士をつないだ直線が正十角形をなすようになっている。そして、切込み１４０における隣接する切込み１４０と切込み１４０の端部同士を結ぶ折れ線１４４に囲まれた三角形状（二等辺三角形状）の片部１４２が折れ線１４４を介して上面部１３２の本体部１３３に対して下方に折曲げ可能に形成されている。以上のように、５本の切込みは、上面部１３２に計２つ設けられている。このように５本の切込み１３４により形成された１０個の片部１３６により収納領域Ｒ１が形成され、また、５本の切込み１４０により形成された１０個の片部１４２により収納領域Ｒ２が形成される。なお、１つの収納領域Ｒ１、Ｒ２において、相対する一対の折れ線１３８、１４４の一方は、上面部１３２と側壁部１５０間の折れ線上にあり、他方は、上面部１３２と側壁部１５２間の折れ線上にある。
【００５３】
また、上面部１３２と側壁部１５０、１５２、１５４、１５６との境界の折れ線上には、ミシン目が形成され、また、収納領域Ｒ１、Ｒ２における各収納領域においては、上面部１３２と側壁部１５０、１５２間の折れ線上の折れ線を除く８個の折れ線１３８（１４４）には、ミシン目（切込み）が形成されている。
【００５４】
なお、上面部１３２の外形の大きさは、本体部１１０内に収納可能な大きさに形成され、本体部１１０の底部１１２よりも大きく、本体部１１０の上端の外形よりも小さく形成されている。つまり、側壁部１５０、１５２、１５４、１５６を上面部１３２に対して折り曲げた状態で側壁部１５０、１５２、１５４、１５６が本体部１１０の底部１１２の内底に接した状態で、上面部１３２の各辺が本体部１１０の内側（つまり、側壁部１１４、１２０、１２６、１２８の内側の面）に接するような大きさに形成されている。
【００５５】
また、側壁部１５０は上面部１３２の正面側の辺部から連設され、側壁部１５２は上面部１３２の背面側の辺部から連設され、側壁部１５４は上面部１３２の右側面側の辺部から連設され、側壁部１５６は上面部１３２の左側面側の辺部から連設されていて、略台形形状を呈し、側壁部１５０は側壁部１５２と線対称に形成され、側壁部１５４と側壁部１５６とは線対称に形成されている。側壁部１５０、１５２、１５４、１５６は、上面部１３２に対して略直角に下方に折曲されている。なお、側壁部１５０、１５２、１５４、１５６においては、組立て状態における高さ方向の長さは略同一に形成されている。
【００５６】
上記構成の青果用包装容器１０５の使用状態について説明する。青果用包装容器１０５を使用するには、青果配置部１３０を本体部１１０内に配置する。つまり、青果配置部１３０における側壁部１５０、１５２、１５４、１５６を上面部１３２に対して略直角に折り曲げた状態として、青果配置部１３０を本体部１１０内に入れて、側壁部１５０、１５２、１５４、１５６の下端が本体部１１０の底部１１２の内底（つまり、上面）に接するようにする。さらに、青果配置部１３０の上面部１３２における片部１３６を折れ線１３８を介して下方に折り曲げた状態とし、また、片部１４２を折れ線１４４を介して下方に折り曲げた状態としておく。
【００５７】
そして、収納領域Ｒ１、Ｒ２に青果を載置する（図１３参照）。収納領域Ｒ１、Ｒ２は、片部１３６、１４２が下方に折曲することにより窪んだ状態となっているので、収納された青果を位置決めすることができ、収納領域Ｒ１、Ｒ２に収納した場合に青果同士が互いに接しない大きさとすることにより、青果同士が接触することがなく、青果が傷むことがない。
【００５８】
また、青果配置部１３０の上面部１３２の上面には不織布製の中芯Ｇが設けられるので、緩衝効果が大きく、青果を青果配置部１３０の上面に落下させても、不織布による弾性により青果が傷むことがない。特に、片部１３６、１４２が上面部１３２の本体部１３３に対して折り曲げた状態とすることにより、本体部１３３と片部１３６、１４２により角部が形成されるが、上面部１３２の上面には不織布による中芯Ｇが設けられているので、緩衝効果が大きく、青果が傷むことがない。
【００５９】
以上のように、本実施例の青果用包装容器１０５は、桃、マンゴー等のように表面に圧力が加わると傷みやすい青果を収納するのに適したものといえる。
【００６０】
なお、上記の説明では、直線状の切込み１３４、１４０が互いに交差しているとして説明したが、切込みが交差していなくても放射状に形成されていればよい。
【００６１】
なお、上記の説明においては、青果配置部１３０は図１２に示す構成のブランクにより形成されているとして説明したが、図５に示す構成のブランクにより構成してもよい。また、上記の説明においては、本体部１１０は板紙により形成されていて、本体部１１０の内側の面は平面状に形成されているとしたが、本体部１１０を実施例１のような片面段ボール（つまり、中芯に不織布が用いられている片面段ボール）により形成して、本体部１１０の内側に中芯が存在するようにすることにより、より緩衝効果を向上させることができる。つまり、収納領域Ｒ１、Ｒ２に載置される青果の大きさや形状によっては、青果が本体部１１０の内側の面（側壁部１１４、１２０、１２６、１２８の内側の面）に接する可能性があるので、本体部１１０の内側の面（特に、側壁部１１４、１２０、１２６、１２８の内側の面）に不織布による中芯を設けることにより、緩衝効果をより大きくして、傷みやすい青果を収納するのにより適したものとすることができる。
【図面の簡単な説明】
【００６２】
【図１】本考案の実施例１に基づく青果用包装容器の上方斜視図である。
【図２】本考案の実施例１に基づく青果用包装容器の平面図である。
【図３】本考案の実施例１に基づく青果用包装容器の下方斜視図である。
【図４】本考案の実施例１に基づく青果用包装容器の展開図である。
【図５】本考案の実施例１に基づく青果用包装容器を構成するブランクの断面図である。
【図６】図２におけるＰ−Ｐ断面図である。
【図７】本考案の実施例１に基づく青果用包装容器の使用状態を示す斜視図である。
【図８】本考案の実施例２に基づく青果用包装容器の上方斜視図である。
【図９】本考案の実施例２に基づく青果用包装容器の上方分解斜視図である。
【図１０】本考案の実施例２に基づく青果用包装容器における本体部の展開図である。
【図１１】本考案の実施例２に基づく青果用包装容器における青果配置部の展開図である。
【図１２】本考案の実施例２に基づく青果用包装容器の青果配置部を構成するブランクの断面図である。
【図１３】本考案の実施例２に基づく青果用包装容器の使用状態を示す斜視図である。
【符号の説明】
【００６３】
５、１０５  青果用包装容器
１０、１１０、１３３  本体部
１２、１１２  底部
１４、２０、２６、２８、１１４、１２０、１２６、１２８  側面部
１６、１８、２２、２４、１１６、１１８、１２２、１２４  フラップ部
３０  仕切り部
３２、６０  仕切り構成部
３４、６２、１３２  上面部
３６  先端部
４０、５０、６４、７０  傾斜面部
４２、５２、６６、７２  傾斜面部本体
４４、４６、５４、５６  ６８、７４  突出部
１３０  青果配置部
１３４、１４０  切込み
１３６、１４２  片部
１３８、１４４  折れ線
１５０、１５２、１５４、１５６  側壁部
Ａ、Ｄ、Ｆ、ライナー
Ｂ、Ｅ、Ｇ  中芯
Ｒ１、Ｒ２  収納領域
【図１】
0003144989.tif 000003
【図２】
0003144989.tif 000004
【図３】
0003144989.tif 000005
【図４】
0003144989.tif 000006
【図５】
0003144989.tif 000007
【図６】
0003144989.tif 000008
【図７】
0003144989.tif 000009
【図８】
0003144989.tif 000010
【図９】
0003144989.tif 000011
【図１０】
0003144989.tif 000012
【図１１】
0003144989.tif 000013
【図１２】
0003144989.tif 000014
【図１３】
0003144989.tif 000015